(57)【要約】移動機により実装される適合的方法は、共用下りリンクのトラヒック・チャネル上帯域内で移動機に送信される制御メッセージを検出する可能性を改善する。移動機が共用下りリンクのトラヒック・チャネル上で送信される制御メッセージを予期する場合、移動機は、受信機構成および受信機パラメータまたはそのいずれかを改変して、制御メッセージの検出見逃しの可能性を低減することができる。１つの実施形態では、移動機は、検出見逃しの可能性を低減するために前記スケジューリング済み送信の検出に使用される相関閾値を調整するように構成される。【特許請求の範囲】
【請求項１】
移動機により実装される、共用下りリンクのトラヒック・チャネルの帯域内で送信される制御メッセージを検出する方法であって、
共用下りリンクのトラヒック・チャネルの前記移動機を対象とするスケジューリング済み送信を、前記共用下りリンクのトラヒック・チャネルの前記スケジューリング済み送信に先立って、移動特有シーケンスと制御チャネルで送信される制御信号との相関を取ることにより検出する工程と、
前記共用下りリンクのチャネルで制御メッセージが予期される場合、検出失敗の可能性を低減するために、前記スケジューリング済み送信の検出に使用される相関閾値を調整する工程と
を有する方法。
【請求項２】
前記共用下りリンクのトラヒック・チャネルのスケジューリング済み送信を検出する工程が、前記制御信号から生成された相関値を前記相関閾値と比較する工程を含む請求項１に記載の方法。
【請求項３】
前記制御メッセージが予期される場合に前記相関閾値を調整する工程が、ハンドオーバ・イベントに対応する前記相関閾値を調整する工程を含む請求項１に記載の方法。
【請求項４】
前記ハンドオーバ・イベントに対応して要求メッセージを送る工程をさらに有し、
前記相関閾値の前記調整が前記要求メッセージへの応答の検出を改善するために行われる請求項３に記載の方法。
【請求項５】
前記要求メッセージが、在圏セルを変更する要求を含む請求項４に記載の方法。
【請求項６】
前記要求メッセージが、前記移動機に対するアクティブ・セット内の構成メンバを変更する要求を含む請求項４に記載の方法。
【請求項７】
前記相関閾値をハンドオーバ・イベントに対応して調整する工程が、
前記ハンドオーバ・イベントがクリティカル・イベントかどうかを決定する工程と、
前記ハンドオーバ・イベントがクリティカル・イベントであれば前記相関閾値を調整する工程と
を含む請求項３に記載の方法。
【請求項８】
前記ハンドオーバ・イベントがクリティカル・イベントでなければ前記相関閾値を変更せずにままにしておく工程をさらに有する請求項７に記載の方法。
【請求項９】
前記相関閾値をハンドオーバ・イベントに対応して調整する工程が前記相関閾値を所定期間変更する工程を含む請求項３に記載の方法。
【請求項１０】
前記所定期間の長さが前記ハンドオーバ・イベントのタイプに依存する請求項９に記載の方法。
【請求項１１】
前記所定期間が終了する際に前記相関閾値を以前の値に調整する工程をさらに有する請求項９に記載の方法。
【請求項１２】
前記相関閾値を調整する工程が前記相関閾値の変更量を決定する工程を含む請求項１に記載の方法。
【請求項１３】
前記相関閾値の前記変更量が、前記移動機が在圏セルから受信する信号強度に基づいて決定される請求項１２に記載の方法。
【請求項１４】
前記相関閾値における前記変更量が前記ハンドオーバのタイプに基づいて決定される請求項１２に記載の方法。
【請求項１５】
前記制御チャネルがＷＣＤＭＡシステムにおける高速共用制御チャネルを含み、
前記共用トラヒック・チャネルがＷＣＤＭＡシステムにおける高速物理下りリンク共用チャネルを含む請求項１に記載の方法。
【請求項１６】
移動機であって、
共用下りリンクのトラヒック・チャネルでパケットを受信する受信機と、
前記共用下りリンクのトラヒック・チャネルで前記移動機への前記パケットのスケジューリング済み送信を検出し、前記共用下りリンクのトラヒック・チャネルで前記移動機に送られる制御メッセージを前記移動機が予期している場合、検出見逃しの可能性を低減するように前記受信機を改変する制御部と
を備える移動機。
【請求項１７】
前記制御部が、前記移動機が前記共用下りリンクのトラヒック・チャネルで前記移動機に送られる制御メッセージを予期している場合、前記受信機の構成を変更することにより前記受信機を改変する請求項１６に記載の移動機。
【請求項１８】
前記制御部が、前記受信機の受信モードを変更することにより前記受信機の構成を変更する請求項１７に記載の移動機。
【請求項１９】
前記共用下りリンクのトラヒック・チャネルで制御メッセージが送信されることが予期される場合、前記制御部が、前記受信モードをＲＡＫＥ受信モードから汎用ＲＡＫＥ受信モードに変更する請求項１８に記載の移動機。
【請求項２０】
前記制御部が、前記受信機により使用される受信アンテナの数を変更することにより前記受信モードを変更する請求項１８に記載の移動機。
【請求項２１】
前記受信機が複数のＲＡＫＥフィンガを有するＲＡＫＥ受信機または汎用ＲＡＫＥ受信機を備え、
前記制御部が、前記制御チャネルに対して前記ＲＡＫＥフィンガ割り当てを変更することにより前記受信モードを変更する
請求項１７に記載の移動機。
【請求項２２】
前記共用下りリンクのトラヒック・チャネルで前記移動機に送られる制御メッセージを前記移動機が予期している場合、前記制御部が、前記受信機により使用されている受信パラメータを変更することにより前記受信機を改変する請求項１６に記載の移動機。
【請求項２３】
前記制御部が、前記共用下りリンクのトラヒック・チャネルの前記スケジューリング済み送信に先立って制御チャネル上で送信される制御信号と移動特有シーケンスとの相関を取ることにより、前記共用下りリンクのトラヒック・チャネルのスケジューリング済み送信を改変する請求項２２に記載の移動機。
【請求項２４】
前記制御チャネルがＷＣＤＭＡシステムにおける高速共用制御チャネルを含み、
前記共用トラヒック・チャネルがＷＣＤＭＡシステムにおける高速物理下りリンク共用チャネルを含む
請求項２３に記載の移動機。
【請求項２５】
前記制御部が、前記制御信号と移動特有シーケンスとの相関を取って相関値を生成し、前記相関値と相関閾値とを比較する請求項２４に記載の移動機。
【請求項２６】
前記制御部が、制御メッセージが前記共用下りリンク・チャネルで予期される場合、前記相関閾値を改変することにより前記受信機を改変する請求項２５に記載の移動機。
【請求項２７】
前記制御部が、ハンドオーバ・イベントに応じる際に前記相関閾値を改変する請求項２６に記載の移動機。
【請求項２８】
前記制御部が、要求メッセージを前記ハンドオーバ・イベントに応じて送り、
前記制御部が、前記要求メッセージに対する応答の検出を改善するために前記相関閾値を調整する請求項２７に記載の移動機。
【請求項２９】
前記要求メッセージが在圏セルを変更する要求を含む請求項２８に記載の移動機。
【請求項３０】
前記要求メッセージが前記移動機に対するアクティブ・セット内の構成メンバを変更する要求を含む請求項２８に記載の移動機。
【請求項３１】
前記制御部が、前記ハンドオーバ・イベントがクリティカル・イベントであれば前記相関閾値を調整する請求項２７に記載の移動機。
【請求項３２】
前記制御部が、前記ハンドオーバ・イベントがクリティカル・イベントでなければ前記相関閾値を変更せずにままにしておく請求項３１に記載の移動機。
【請求項３３】
前記制御部が、前記共用下りリンク・チャネルで制御メッセージが予期される場合、前記相関閾値を所定期間変更することにより前記相関閾値を改変する請求項２７に記載の移動機。
【請求項３４】
前記期間が前記ハンドオーバ・イベントのタイプに依存する請求項３３に記載の移動機。
【請求項３５】
前記制御部が、前記所定期間が終了する際に前記相関閾値を以前の値に調整する請求項３３に記載の移動機。
【請求項３６】
前記制御部が、前記相関閾値の変更量を決定することにより前記相関閾値を改変する請求項２７に記載の移動機。
【請求項３７】
前記制御部が、在圏セル内の基地局から前記移動機が受信する信号の強度に基づいて前記相関閾値の前記変化量を決定する請求項３６に記載の移動機。
【請求項３８】
前記制御部が、前記相関閾値の前記変化量を前記ハンドオーバ・イベントのタイプに基づいて決定する請求項３６に記載の移動機。
【請求項３９】
移動機により実装される、共用下りリンクのトラヒック・チャネルの帯域内で送信される制御メッセージを検出する方法であって、
前記共用下りリンク・チャネルのパケットの検出失敗の可能性を低減するために、前記移動機が前記下りリンク共用チャネルで当該移動機に送られる制御メッセージを予期している場合に前記移動機内の受信機を改変する工程を有する方法。
【請求項４０】
前記受信機を改変する工程が、前記移動機が前記下りリンク共用チャネルで当該移動機に送られる制御メッセージを予期している場合、受信機構成を変更する工程を含む請求項３９に記載の方法。
【請求項４１】
前記受信機構成を変更する工程が、前記受信機の受信モードを変更する工程を含む請求項４０に記載の方法。
【請求項４２】
前記受信機の前記受信モードを変更する工程が、ＲＡＫＥ受信モードから汎用ＲＡＫＥ受信モードに変更する工程を含む請求項４１に記載の方法。
【請求項４３】
前記受信機の前記受信モードを変更する工程が、当該受信機により使用される受信アンテナの数を変更する工程を含む請求項４１に記載の方法。
【請求項４４】
前記受信機が複数のＲＡＫＥフィンガを有するＲＡＫＥ受信機または汎用ＲＡＫＥ受信機を備え、
前記受信機構成を変更する工程が、前記ＲＡＫＥフィンガの割り当てを変更する工程を含む請求項４０に記載の方法。
【請求項４５】
前記受信機に適応する工程が、前記移動機が前記下りリンク共用チャネル上で当該移動機に送られる制御メッセージを予期している場合に前記受信機により使用される受信パラメータを変更する工程を含む請求項３９に記載の方法。
【請求項４６】
前記共用下りリンク・チャネルでデータを受信するように前記移動機がスケジューリングされているか検出するために制御チャネルを監視する工程をさらに有する請求項４５に記載の方法。
【請求項４７】
前記制御チャネルがＷＣＤＭＡシステムにおける高速共用制御チャネルを備え、
前記共用トラヒック・チャネルがＷＣＤＭＡシステムにおける高速物理下りリンク共用チャネルを備える請求項４６に記載の方法。
【請求項４８】
前記共用下りリンク・チャネルでデータを受信するように前記移動機がスケジューリングされているか検出するために前記制御チャネルを監視する工程が、
相関値を生成するために制御信号と移動特有シーケンスとの相関をとる工程と、
前記相関値を相関閾値と比較する工程と
を含む請求項４６に記載の方法。
【請求項４９】
前記受信機を改変する工程が、前記共用下りリンク・チャネルで前記制御メッセージが予期される場合に前記相関閾値を改変する工程を含む請求項４８に記載の方法。
【請求項５０】
前記制御メッセージが予期される場合に前記相関閾値を改変する工程が、ハンドオーバ・イベントに応じて前記相関閾値を改変する工程を含む請求項４９に記載の方法。
【請求項５１】
前記ハンドオーバ・イベントに応じて要求メッセージを送る工程をさらに有し、
前記要求メッセージへの応答の検出を改善するために前記相関閾値が調整される請求項５０に記載の方法。
【請求項５２】
前記要求メッセージが在圏セルを変更する要求を含む請求項５１に記載の方法。
【請求項５３】
前記要求メッセージが前記移動機に対するアクティブ・セット内の構成メンバを変更する要求を含む請求項５１に記載の方法。
【請求項５４】
ハンドオーバ・イベントに応じて前記相関閾値を調整する工程が、
前記ハンドオーバ・イベントがクリティカル・イベントであるかどうかを決定する工程と、
前記ハンドオーバ・イベントがクリティカル・イベントであれば前記相関閾値を調整する工程と
を含む請求項５０に記載の方法。
【請求項５５】
前記ハンドオーバ・イベントがクリティカル・イベントでなければ前記相関閾値を変更せずにままにしておく工程をさらに有する請求項５４に記載の方法。
【請求項５６】
制御メッセージが前記共用下りリンク・チャネルで予期されている場合に前記相関閾値を改変する工程が、前記相関閾値を所定期間変更する工程を有する請求項５０に記載の方法。
【請求項５７】
前記所定期間の長さが前記ハンドオーバ・イベントのタイプに依存する請求項５６に記載の方法。
【請求項５８】
前記所定期間が終了する際、前記相関閾値を以前の値に調整する工程をさらに有する請求項５６に記載の方法。
【請求項５９】
前記相関閾値を改変する工程が、前記相関閾値の変更量を決定する工程を含む請求項５０に記載の方法。
【請求項６０】
前記変化量が、在圏セル内の基地局から前記移動機が受信する信号強度に基づいて決定される請求項５９に記載の方法。
【請求項６１】
前記変化量が、前記ハンドオーバ・イベントのタイプに基づいて決定される請求項５９に記載の方法。
【発明の詳細な説明】
【技術分野】
【０００１】
本発明は広く符号分割多元接続（ＣＤＭＡ）システムに関するものであり、さらに詳しくはＣＤＭＡシステムにおける無線リソース制御の信号伝達に関する。
【背景技術】
【０００２】
高速下りリンク・パケット接続（ＨＳＤＰＡ）は、広帯域符号分割多元接続（ＷＣＤＭＡ）ネットワークで提供されるパケット・データ・サービスである。ＨＳＤＰＡは、ＷＣＤＭＡ標準のリリース９９で第３世代パートナーシップ・プロジェクト（３ＧＰＰ)により仕様化されたＷＣＤＭＡの発展形である。ＨＳＤＰＡは、ＷＣＤＭＡ標準のリリース５で導入され、強化機能、たとえば高次変調（１６ＱＡＭ）、物理レイヤ・ハイブリッド自動再送要求（Ｈ−ＡＲＱ）、マルチコード送信、高速リンク適応および高速スケジューリングなどを使用して最大１０Ｍビット／秒までのピーク・データ速度を提供する。ＨＳＤＰＡ用のトランスポート・チャネルは高速下りリンク共用チャネル（ＨＳ−ＤＳＣＨ）である。ＨＳ−ＤＳＣＨは、高速物理下りリンク共用チャネル（ＨＳ−ＰＤＳＣＨ）上で担われる。
【０００３】
ＨＳ−ＤＳＣＨは、複数の移動機により共用される時間多重チャネルである。移動機は、在圏基地局によりＨＳ−ＰＤＳＣＨ上で送信されるデータを受信するようにスケージュリングされる。スケジューリング間隔は、送信時間間隔（ＴＴＩ）と称される。ある所定のＴＴＩの間に、１つ以上の移動機がスケジューリングされる可能性がある。移動機は、高速専用物理制御チャネル（ＨＳ−ＤＰＣＣＨ）と呼ばれる上りリンク・チャネルでチャネル状態を基地局に報告し、基地局がスケジューリングを決定できるようにする。基地局は、移動機を、少なくとも一部分は報告されたチャネル状態に基づいてスケジューリングする。ある所定のＴＴＩ内にＨＳ−ＤＳＣＨ上でパケット・データを受信するようにスケジューリングされた移動機のＩＤは、高速共用制御チャネル（ＨＳ−ＳＣＣＨ）上で送信される。ＨＳ−ＳＣＣＨはまた、ＨＳ−ＤＳＣＨをデコードするために移動機が必要とする送信パラメータ、たとえば、コード・チャネル、トランスポート・ブロックの大きさ、および対応するＴＴＩ内で使用される変調方式などを送るために使用される。
【０００４】
ＷＣＤＭＡにおける専用物理チャネル（ＤＰＣＨ）とは違って、ソフト・ハンドオフはＨＳＤＰＡにはサポートされていない。セル間におけるパケット・データ送信を協調させることの複雑さゆえに、ハード・ハンドオーバ（ＨＨＯ）が使用される。移動機は、アクティブ・セット内の各々のセルから受信されるパイロット信号の瞬間的な信号対干渉比を測定し、最も強い信号をもたらすセルにサービスを要求する。移動機がセル間の境界域内に入るにつれて、在圏セルからの信号強度は減少し、一方アクティブ・セット内の隣接セルからの信号強度は増大するであろう。隣接セルからの信号強度が、時点の在圏セルからの信号強度を上回る場合、移動機は時点の在圏セルから特定の対象セルへのハンドオーバを要求する。時点の在圏基地局がハンドオーバ要求を了解する場合、移動機は対象セルに切り替え、ハンドオーバ・メッセージを対象基地局に送り、ハンドオーバを完了させる。対象基地局は、在圏基地局としての役割を引き受け、パケット・データを移動機に送信し始める。
【０００５】
ＨＳ−ＤＳＣＨは、ＷＣＤＭＡ標準のリリース５に準拠して、常に上りリンクおよび下りリンクともに、付随専用物理チャネル（Ａ−ＤＰＣＨ）と連動して動作する。Ａ−ＤＰＣＨは、移動機と基地局との間の無線リソース制御（ＲＲＣ）メッセージを担う。無線リソース制御は、無線アクセス・ネットワークにおいて移動機の無線ネットワーク制御装置による制御を提供するプロトコルである。ＲＲＣ機能には、接続モードにある移動機のハンドオーバ制御を含む。ＷＣＤＭＡ標準のリリース６は、在圏基地局がＲＲＣ信号メッセージを、ハンドオーバ・メッセージを含め、Ａ−ＤＰＣＨの代わりにＨＳ−ＰＤＳＣＨ上帯域で移動機に送ることができるようにしている。
【発明の開示】
【発明が解決しようとする課題】
【０００６】
ハンドオーバ手順は、通常、移動機がハンドオーバ要求を送る時点から完了するまでに約２００から８００ミリ秒要する。その期間中、在圏セルからのＨＳ−ＰＤＳＣＨ上の信号品質は著しく変動する可能性がある。ＨＳ−ＰＤＳＣＨが、Ａ−ＤＳＣＨの代わりにハンドオーバ・メッセージを移動機に送るために使用されると、パケット損失の危険性が大いにある。チャネル状態が過度に劣化すると、移動機はハンドオーバ・メッセージを在圏基地局から受信できなくなる可能性があり、移動機がハンドオーバを完了するのを妨げる可能性があり、そして無線リンク障害、すなわち途中放棄呼をもたらす可能性がある。
【０００７】
したがって、特にＨＳ−ＤＳＣＨ上の帯域内信号伝達がハンドオーバ・メッセージを移動機に送信するのに使用される場合、基地局と移動機との間の信号伝達をより堅牢にする必要がある。
【課題を解決するための手段】
【０００８】
本発明の実施形態は、共用下りリンクのトラヒック・チャネルの帯域内で移動機に送信される無線リソース制御（ＲＲＣ）メッセージの検出を改善するための方法および装置を提供する。その方法は、ＲＲＣメッセージが共用下りリンクのトラヒック・チャネル上で移動機に送られることが予期される場合、検出見逃しの可能性を減らすように移動機内の受信機を改変する工程を含む。受信機は、受信機の構成および信号を受信するために使用される受信パラメータまたはそのいずれかを変更することによりを改変することができる。受信機構成の変更には、受信モード（たとえば、ＲＡＫＥ受信モードから汎用ＲＡＫＥ（ＧＲＡＫＥ）受信モードへ）の変更、または受信機リソース（たとえばＲＡＫＥ／ＧＲＡＫＥフィンガの数）の割り当て変更を含み、共用下りリンクのトラヒック・チャネル上でＲＲＣメッセージの検出見逃しの可能性を低減する。受信パラメータ、たとえば共用下りリンクのトラヒック・チャネルで移動機へのスケジューリング済み送信を検出するために使用される相関閾値を、移動機が共用下りリンクのトラヒック・チャネルで送られるＲＲＣメッセージを予期する場合にまた調整することができる。
【０００９】
１つの実装形態では、移動機は共用下りリンクのトラヒック・チャネルのスケジューリング済み送信を、共用下りリンクのトラヒック・チャネルのスケジューリング済み送信に先立って、移動特有シーケンスでマスクされた制御信号を移動機に送ることにより通知される。移動機は、下りリンク制御チャネルを監視し、制御チャネルで受信される制御信号とそれ自身の移動特有シーケンスとの相関を取るように構成され、共用下りリンクのトラヒック・チャネルのスケジューリング済み送信を検出する。相関値は制御信号から生成され、相関閾値と比較される。相関値が閾値に達している場合、移動機は対応する期間共用下りリンクのトラヒック・チャネルをデコードしてスケジューリング済み送信を受信する。移動機が無線ネットワーク制御装置からのＲＲＣメッセージを予期している場合、相関閾値は、検出見逃しの可能性（すなわち、移動機がスケジューリング済み送信を検出しそこなうこと）を低減するために、下げてもよい。
【００１０】
１つの例として、移動機はＲＲＣメッセージを、ハンドオーバ・イベントに対応して無線ネットワーク制御装置に送ることができる。そのような場合、移動機はハンドオーバ・メッセージの確認応答を予期している。このように、移動機は下りリンクの共用チャネル上でのスケジューリング済み送信を検出するのに使用される相関閾値を下げ、検出見逃しの可能性を低減することができる。
【発明を実施するための最良の形態】
【００１１】
図１は、移動通信サービスを１つ以上の移動機１００に提供するための無線通信ネットワーク１０の例を説明している。本明細書で使用されている用語「移動機」は、無線を使って通信ネットワークに接続する能力を有する任意の携帯用通信デバイスに適用される。用語「移動機」には、移動電話、ページャ、携帯情報端末およびラップトップまたはハンドヘルド・コンピュータを含むが、これに限定されるものではない。無線通信ネットワーク１０の例は、第３世代パートナーシップ・プロジェクト（３ＧＰＰ）により仕様化された広帯域符号分割多元接続（ＷＣＤＭＡ）システムを含む。当業者は、本発明がまた、他の標準、たとえば、ｃｄｍａ２０００（ＴＩＡ−２０００）、１ｘＥＶ−ＤＯ（ＴＩＡ−８５６ａ）およびＷｉＭＡＸ（ＩＥＥＥ８０２．１６）などに基づいた移動通信ネットワークで使用できることを認めるであろう。
【００１２】
無線通信ネットワーク１０は、１つ以上の外部のパケット・データ網、たとえばインターネットに接続されたコア・ネットワーク（ＣＮ）２０、および１つ以上の無線アクセス・ネットワーク（ＲＡＮｓ）３０を備える。コア・ネットワーク２０は、移動機１００と外部ネットワークとの間の呼の交換およびルーチングに対して責を担っている。コア・ネットワーク２０は、回線交換サービスを提供するための移動交換局（ＭＳＣ）２２およびパケット交換サービスを提供する在圏ＧＰＲＳサポート・ノード（ＳＧＳＮ）２４を含むことができる。ＲＡＮ３０の主要な機能は、移動機（ＭＳｓ）１００にコア・ネットワーク２０への接続を提供することである。ＲＡＮ３０は、１つ以上の無線ネットワーク・サブシステム（ＲＮＳｓ）３２を含む。ＲＮＳ３２は、無線ネットワーク制御装置（ＲＮＣ）３４および、ＷＣＤＭＡ標準ではノードＢｓと称せられている１つ以上の基地局（ＢＳｓ）３６を備える。この出願では、ＷＣＤＭＡ特有の用語ノードＢの代わりに、一般名である基地局（ＢＳ）を使用する。
【００１３】
ＢＳｓ３６は、移動機１００と無線インタフェース上で通信し、そして通常１つのセルに付随している。１つのＢＳ３６は、複数のセル内にサービスを提供する場合がある。ＲＮＣ３４は、ＲＡＮ３０をコア・ネットワーク２０に接続し、そしてＲＡＮ機能を制御するネットワーク構成要素である。ＲＮＣ３４は、ＢＳｓ３６および領域内の無線リソースを管理し、そして無線リソース制御（ＲＲＣ）を終結させる。ＲＲＣは、移動機１００の制御をＲＮＣ３４により提供するプロトコルである。ＲＮＣ３４により実行されるＲＲＣ機能には、測定報告、アクティブ・セットの管理およびハンドオーバ制御を含む。
【００１４】
高速下りリンク・パケット接続（ＨＳＤＰＡ）は、無線通信ネットワーク１０により実装される１つの方法であり、下りリンクで移動機１００にパケットを配信する。ＨＳＤＰＡはＷＣＤＭＡ標準の発展形である。ＨＳＤＰＡはＷＣＤＭＡ標準のリリース５で導入された。ＨＳＤＰＡの主目的は、機能強化、たとえば高速スケジューリング、高速リンク適応、物理レイヤ自動再送要求（ＨＡＲＱ）、パケット・サイズの縮小およびマルチコード送信などを使用してデータ・スループットを向上させることである。ＨＳＤＰＡは、パケット・データのバースト性を巧みに利用して、利用できる無線リソースを複数のユーザ間で共用し、それによりリソースをより効率よく活用する。
【００１５】
ＨＳＤＰＡは、高速下りリンク共用チャネル（ＨＳ−ＤＳＣＨ）と呼ばれる下りリンクでの高速パケット配信のための１つの新しいトランスポート・チャネルおよび３つの新しい物理チャネル（ユーザ・データを担う高速物理下りリンク共用チャネル（ＨＳ−ＰＤＳＣＨ）と、スケジューリングされている移動機１００を識別するため及びＨＳ−ＰＤＳＣＨをデコードするために移動機１００が必要とする送信パラメータを知らせるための制御信号を担う高速共用制御チャネル（ＨＳ−ＳＣＣＨ）と、上りリンク制御信号、たとえばＨ−ＡＲＱ動作のためのＡＣＫ／ＮＡＣＫ信号およびスケジューリングおよびレート制御のためのチャネル品質指標（ＣＱＩ）を担う高速専用物理制御チャネル（ＨＳ−ＤＰＣＣＨ））を提供する。ＨＳＤＰＡは、ＷＣＤＭＡ標準のリリース５に準拠して、常に上りリンクおよび下りリンクともに、対応する付随専用物理チャネル（Ａ−ＤＰＣＨ）と連動して動作する。Ａ−ＤＰＣＨは、電力制御コマンドを送るのに使用され、そしてまたＲＲＣ信号を移動機１００とＲＮＣ３４との間で送るのにも使用できる。
【００１６】
ＨＳ−ＤＳＣＨ上での送信は、送信時間間隔（ＴＴＩ）と呼ばれる２ミリ秒単位の時間に分割される。１つのＴＴＩはさらに、各々０．６６７ミリ秒の３つのタイムスロットに分割される。１つのＴＴＩは、移動機１００をＨＳ−ＤＳＣＨ上でスケジューリングするのに使用される基本単位時間である。スケジューリングは、在圏ＢＳ３６内にあるスケジューラにより実行される機能である。在圏ＢＳ３６のスケジューラは、いずれの移動機１００が各要因、たとえば各々の移動機１００により報告されるチャネル状態、各々の移動機１００用のバッファ内に保留されているデータの量、各々の移動機１００に対する平均スループット、および任意のサービス品質（ＱｏＳ）保証などに基づいて、各々のＴＴＩ内でデータを受信することになるかを決定する。スケジューリング・アルゴリズムは、通常ネットワーク事業者により決定される。任意の所定のＴＴＩの間に、ＢＳ３６は、１つ以上の移動機１００に対して最大１５のチャネライゼーション・コードを割り当てる。
【００１７】
ＢＳ３６は、スケジューリングされている移動機（含複数）１００、コード割り当ておよびＨＳ−ＳＣＣＨ上で制御信号を送る図３で示される送信フォーマットを識別する。本明細書で使用されるように、用語「制御信号」は、ＢＳ３６により移動機１００に送信され、制御情報を担う信号を意味しており、ユーザ・データを担うトラヒック信号とは区別される。ＨＳ−ＳＣＣＨは、固定レートのチャネル（６０ｋｂｐｓ、拡散係数＝１２８）であり、移動機のＩＤおよびＨＳ−ＰＤＳＣＨに対する送信パラメータを、対応するＴＴＩの開始に先立って送信するのに使用される。ＨＳ−ＳＣＣＨブロックは、長さが３つのスロットであり、そして２つの部分に分割される。部分１は１つのスロットを備え、ＨＳ−ＰＤＳＣＨの復調を開始するために移動機１００が必要とするクリティカルな情報、たとえば、ＨＳ−ＰＤＳＣＨに対するコード割り当て、送信ブロックの大きさおよび変調方式などを担う。部分２は２つのスロットを備え、あまりクリティカルでない情報、たとえば巡回冗長検査（ＣＲＣ）およびＨＡＲＱ処理情報などを担う。ＢＳ３６は、対応するＴＴＩの開始前にＨＳ−ＳＣＣＨの２つのタイムスロットを送信する。両方の部分は、対応するＴＴＩ内にスケジューリングされる移動機１００を識別する移動特有シーケンスとともに送信される。たとえば、移動機に特有のマスキング・シーケンスを制御信号に適用することができる。しかしながら、用語「移動特有信号」は、一意的に移動機を識別する任意のシーケンスに適用されるように広く理解されるべきである。以下で説明されるように、スケジューリングされている移動機１００は移動特有シーケンスと受信した制御信号との相関を取り、それがスケジューリングされているかどうかを判定することができる。
【００１８】
移動機１００は、ＨＳ−ＳＣＣＨを監視し、ＨＳ−ＰＤＳＣＨ上でパケット・データを受信するのがいつスケジューリングされるかを決定する。移動機１００は、ＨＳ−ＳＣＣＨの部分１と移動特有のマスキング・シーケンスとの相関を取って相関値を生成し、相関値と相関閾値とを比較する。この処理は、本明細書ではＨＳ−ＳＣＣＨ検出またはスケジューリング済み送信の検出と称せられる。同時に、移動機１００はＨＳ−ＳＣＣＨの部分１をデコードし、ＨＳ−ＰＤＳＣＨをデコードするために必要な送信パラメータを得る。部分１のデコード後、移動機１００は、受信機をＨＳ−ＰＤＳＣＨ上でデータを受信するように設定し、ＨＳ−ＳＣＣＨの部分２（ＣＲＣおよびＨＡＲＱ処理情報を含む）をデコードし始める。ＨＳ−ＰＤＳＣＨをデコード後、移動機１００は、ＡＣＫ／ＮＡＣＫ表示をＢＳ３６にＨＳ−ＤＰＣＣＨ上で送り、パケット・データが首尾よく受信されたかどうかを示す。ＨＳ−ＳＣＣＨの部分１と移動特有のシーケンスとの相関を取るための相関手法は、同時係属中の２００４年２月１９日に出願された米国特許出願で出願番号１０／７８０，６３３に説明されており、参照することにより本明細書に援用される。
【００１９】
共用下りリンクのトラヒック・チャネル上でのスケジューリング済み送信を検出するため、すなわちＨＳ−ＳＣＣＨ検出のために、移動機１００により使用される相関閾値は、誤検出の確率と検出見逃しの確率との間のトレードオフを表わす。誤検出は、移動機１００がスケジューリング済みユーザであると誤って判定する場合に発生する。検出見逃しは、移動機１００が共用下りリンクのトラヒック・チャネルで移動機１００へのスケジューリング済み送信を検出しそこなう場合に発生する。誤検出は、移動機が不必要にＨＳ−ＳＣＣＨの部分２およびＨＳ−ＰＤＳＣＨをデコードすることに起因した、移動機１００内での電力消費の増大に繋がる。移動機１００によるＨＳ−ＳＣＣＨの部分２およびＨＳ−ＰＤＳＣＨをデコードしようとする試みは、失敗するであろう。検出見逃しは、一方、移動機１００が送信されるパケットを確認しそこなう場合に、移動機１００にデータが再送されなければならないのでスループットを低下させることに繋がる。
【００２０】
異なるセルにおいてＨＳ−ＤＳＣＨ上での下りリンク送信を協同することの複雑さ故に、ソフト・ハンドオフは、移動機１００がセル間を移動する場合ＨＳ−ＤＳＣＨ上では採用されない。代わりに、ハード・ハンドオーバが使用される。ハンドオーバ制御は、ＲＮＣ３４により実行されるＲＲＣ機能の一部である。移動機１００は、アクティブ・セット内の各々のセルから受信されるパイロット信号の瞬間的な信号対干渉比（ＳＩＲ）を測定し、そして最も強い信号をもたらすセルにサービスを要求する。移動機１００がセル間の境界域内に移動するにつれて、在圏セルからの信号強度は減少し、一方アクティブ・セット内の隣接セルからの信号強度は増大するであろう。隣接セルからの信号強度が、その時点の在圏セルからの信号強度を上回る場合、移動機１００は、ハンドオーバ要求をその時点の在圏セルを通してＲＮＣ３４に送る。ハンドオーバ要求は、ハンドオーバに対する対象セルを識別する。ＲＮＣ３４は、パケット・データを対象セルにルート切り替えする再構成処理を始め、そして、従来型のシステムでは、再構成メッセージを時点の在圏ＢＳ３６を通して移動機１００に戻す。再構成メッセージを受信すると、移動機１００は、対象セルに切り替え、そしてハンドオーバ完了メッセージを対象セル内のＲＮＣ３４に送り、ハンドオーバを完了する。対象セルに対するＢＳ３６は、在圏ＢＳ３６としての役割を引き受け、そして移動機１００にＨＳ−ＰＤＳＣＨ上でパケット・データを送信し始める。
【００２１】
ＷＣＤＭＡ標準のリリース６では、ＲＮＣ３４から移動機１００へのＲＲＣメッセージ、たとえばハンドオーバ・メッセージは、ＨＳ−ＰＤＳＣＨ上またはＡ−ＤＰＣＨ上帯域内で送信することができる。ＨＳ−ＰＤＳＣＨ上で帯域内ＲＲＣ信号伝達を使用する可能性が、信号伝達専用の無線リソースを削減するために導入された。帯域内信号伝達を使用することにより、Ａ−ＤＰＣＨに割り当てられるＢＳ電力の量は低減され、結果、ＨＳ−ＤＳＣＨに使用できる電力が増大する。帯域内信号伝達が使用されると、ＤＰＣＨは電力制御情報を担うだけで、そして部分ＤＰＣＨ（Ｆ−ＤＰＣＨ）と呼ばれる。
【００２２】
ＨＳ−ＤＳＣＨ上の帯域内信号伝達がＲＲＣ信号伝達に使用される場合、クリティカルＲＲＣメッセージの検出見逃しは問題となる。移動機１００が２つのセル間の境界領域で動作している場合、その時点の在圏ＢＳ３６からの信号品質は著しく変動する可能性がある。ハンドオーバ手順は、通常、移動機１００がハンドオーバに対する要求を示す時間から完了するまでに約２００から８００ミリ秒を要する。在圏セルからの信号品質の劣化は、検出見逃しの可能性を高めるであろう。移動機１００が、移動機１００向けのクリティカルＲＲＣメッセージ、たとえばハンドオーバ・メッセージを、信号品質の劣化のために検出しそこなうと、低スループットを、および最悪ケースのシナリオでは無線リンク障害をもたらすであろう。
【００２３】
本発明の１つの実施形態に準拠して、共用下りリンクのトラヒック・チャネル上でスケジューリング済み送信を検出するために、移動機１００により使用される相関閾値は、移動機１００が検出見逃しの可能性を低減するために重要なＲＲＣメッセージを予期している場合に適応される。たとえば、移動機１００がハンドオーバ要求（ＷＣＤＭＡではイベント１Ｄとして知られる）をＲＮＣ３４に送る場合、ハンドオーバ要求の確認応答（ＷＣＤＭＡでは再構成メッセージとして知られる）は、所定の時間（たとえば、１００から４００ミリ秒）内に予期されるであろう。移動機１００がハンドオーバの確認応答を予期している期間中に、移動機１００は、ＨＳ−ＳＣＣＨ検出に関して使用される相関閾値を低めることが可能で、その結果、検出見逃しの可能性を低減する。この手法の使用は、セルの再選択に限定されるものではなく、他のハンドオーバ・イベントに対して使用することができる。本明細書で使用されているように、用語「ハンドオーバ・イベント」は、移動機１００とＲＡＮ３０との間の無線リンクにおける変化をもたらす任意のイベントを意味している。ハンドオーバ・メッセージは、ハンドオーバ・イベントにより引き起こされるメッセージを備える。ハンドオーバ・メッセージは、セルの再選択に使用されるメッセージに加えて移動機１００のアクティブ・セットを変更するのに使用されるメッセージを含む。たとえば、移動機１００がアクティブ・セットの変更（たとえば、アクティブ・セットへのセルの追加（イベント１Ａ）、アクティブ・セットからのセルの除去（イベント１Ｂ）、アクティブ・セット内にあるセルと新しいセルとの置き換え（イベント１Ｃ））を要求する場合、相関閾値を、ＨＳ−ＳＣＣＨ検出を改善するために改変することができる。ハンドオーバ・メッセージに加えて、他のメッセージ、または下りリンクＲＲＣメッセージをＲＮＣ３４により移動機１００に送らせる誘因となるイベントを、相関閾値を調整するためのトリガーとして使用できる。
【００２４】
相関閾値の調整はまた、在圏セルからの信号強度に依存する可能性がある。移動機１００は、相関閾値を改変するべきかどうかを決定する際に、または行われる調整の量を決定するために、信号強度を評価することができる。たとえば、移動機１００が在圏セルから受信する信号が強い場合は、少しだけ調整が行われるか、または少しも調整が行われない場合がある。移動機１００が在圏セルから受信する信号が弱い場合、大きな調整が行われる場合がある。相関閾値が誘因となるイベントに対応して移動機１００により低減される場合、移動機１００はまた、低減された相関閾値が適用されるウィンドウの長さ（本明細書では低減された閾値検出ウィンドウと称される）を決定することができる。低減された閾値検出ウィンドウの長さは、イベントのタイプに依存する場合があり、統計的データ、たとえば誘因となるイベントとＲＮＣ３４からの応答ＲＲＣ信号との間の平均待ち時間に基づいて決定することができる。あるいは、低減された閾値検出ウィンドウの長さは、事前に計算され、そして参照テーブルに保存することができる。とにかく、移動機１００は誘因となるイベントに対応して閾値を調整し、そして低減された閾値検出ウィンドウが終了する場合、閾値を標準値に戻すように調整する。
【００２５】
図２は、本発明に準拠した移動機１００の例を説明している。移動機１００は、１つ以上のアンテナ１１２と連結しているＲＦ回路１０２およびベースバンド処理回路１２０を備える。ＲＦ回路１０２は、受信機フロント・エンド１０４および送信機フロント・エンド１０６を備える。受信機フロント・エンド１０４は、受信信号をフィルタし、増幅およびダウンコンバートする。アナログ・デジタル変換器１０８は、受信機フロント・エンド１０４から出力された受信信号をベースバンド処理回路１２０による処理に適したデジタル信号に変換する。送信側では、デジタル・アナログ変換器１１０は、ベースバンド処理回路１２０から出力された送信信号を送信に適したアナログ信号に変換する。送信機フロント・エンド１０６は、アナログ送信信号を送信用ＲＦ搬送波上に変調する。
【００２６】
ベースバンド処理回路１２０は、復調器１２２、デコーディング回路１２４、測定回路（ＭＣ）１２６、制御部１２８、エンコーディング回路１３０および変調器１３２を備える。ベースバンド処理回路１２０の要素は、１つ以上のプロセッサを備える処理回路に実装できる。復調器１２２は、移動機１００から無線インタフェースで受信した信号を復調し、そして復調された信号をデコーディング回路１２４に供給する。復調器１２２は、たとえばＲＡＫＥ受信機、汎用ＲＡＫＥ（ＧＲＡＫＥ）受信機、またはチップ等化受信機を備えることができる。復調器１２２は、制御部１２８により設定することができる。たとえば、制御部１２８は、受信機をＲＡＫＥ受信機またはＧＲＡＫＥ受信機（またはチップ等化受信機）のいずれかとして、選択的に設定することができる。制御部１２８はまた、検出に使用されるアンテナの数、および、ＲＡＫＥおよびＧＲＡＫＥフィンガ(またはチップ等化タップ）またはそのいずれか、または他の受信機リソースを選択することができる。
【００２７】
デコーディング回路１２４は、チャネル・デコーディングを実行し、そしてユーザ・データを制御信号から切り離す。制御信号は制御部１２８に渡され、移動機１００の全体の動作を制御する。制御部１２８は、１つ以上のプロセッサを備える場合があり、レイヤ２およびレイヤ３の信号を扱い、そして制御信号を出力して移動機１００の動作を制御する。制御信号は、点線で示されており、復調器１２２、デコーディング回路１２４、エンコーディング回路１３０および変調器１３２を制御する。測定回路１２６は、受信信号に関する測定、たとえば信号強度測定、信号品質測定などを実行し、そして測定結果を制御部１２８に提供する。エンコーディング回路１３０は、ユーザ・データおよび制御信号のチャネル・コーディングを実行する。変調器１３２は、エンコーディング回路１３０から出力される信号をデジタル変調してデジタル・アナログ変換器１１０に適用される送信信号を生成する。
【００２８】
受信機フロント・エンド１０４、Ａ／Ｄ変換器１０８、復調器１２２およびデコーディング回路１２４は、受信機を構成する。送信機フロント・エンド１０６、Ｄ／Ａ変換器１１０、変調器１３２およびエンコーディング回路１３０は送信機を構成する。移動機１００の要素すなわち構成要素、たとえばベースバンド処理回路１２０は、色々なハードウェアおよびソフトウェアを使用して実装することができる。たとえば、ベースバンド処理回路１２０は、マイクロプロセッサ、マイクロコンピュータ、デジタル信号プロセッサ、特定用途向け集積回路（ＡＳＩＣ）のような専用ハードウェア、またはそれらの組み合わせを用いて実装することができる。さらに、当然のことながら、ベースバンド処理回路１２０の機能は、単一のデバイス、たとえば単一のＡＳＩＣまたはマイクロプロセッサに一体化することができ、またはいくつかのデバイスにまた分配することができる。
【００２９】
図４は、移動機１００により実装される手順の例を説明するフロー図である。手順は、移動機１００がＨＳＤＰＡセッションを進行中（ブロック２００）の場合に実行される。ＨＳＤＰＡセッション中に、移動機１００は、周期的に信号強度測定を行う（ブロック２０２）。信号強度測定は、移動機１００によりアクティブ・セットをいつ変更すべきかおよび在圏セルをいつ変更するべきかを決定するために使用される。これらのイベントは、本明細書ではハンドオーバ・イベントと称される。ハンドオーバ・イベントには、アクティブ・セットへのセルの追加（イベント１Ａ）、アクティブ・セットからのセルの除去（イベント１Ｂ）、アクティブ・セットにあるセルと新しいセルとの取替え（イベント１Ｃ）および在圏セルの変更（イベント１Ｄ）を含む。移動機１００は、当該技術分野で周知のように信号強度測定に基づいてハンドオーバ・イベントを検出する。ハンドオーバ（ＨＯ）イベントを検出する（ブロック２０４）と、移動機１００は、検出したハンドオーバ・イベントがクリティカル・イベントかどうかを決定する（ブロック２０６)。ハンドオーバ・イベントがクリティカル・イベントでないと、移動機１００は、通知メッセージ（たとえば、イベント１Ａ、１Ｂ、１Ｃおよび１Ｄ）をＲＮＣ３４に送って、ＲＮＣ３４にイベントを通知し（ブロック２０８）、そして応答メッセージを待つ。この場合、移動機１００は、ＨＳ−ＳＣＣＨ検出のために標準の相関閾値を使用する（ブロック２１０）。一方、ハンドオーバ・イベントがクリティカル・イベントであると、移動機１００は、ＲＲＣメッセージを上りリンクでＲＮＣ３４に送り（ブロック２１２）、そしてＨＳ−ＳＣＣＨ検出のために調整された相関閾値を使用する（ブロック２１４）。予期される応答を受信後、または低減された閾値検出ウィンドウが終了後、移動機１００は、初期設定のＨＳ−ＳＣＣＨ検出パラメータに戻す（ブロック２１６）。クリティカル・イベントの例には、在圏セルからの信号強度が弱い場合のイベント１Ａおよびイベント１Ｃ、およびイベント１Ｄを含む。イベント１Ａおよび１Ｃは、強いパイロット信号が在圏セルから受信されていると、クリティカル・イベントとは見なされない場合がある。いくつかの実装形態では、イベント１Ｂはクリティカル・イベントではないと見なされる場合がある。
【００３０】
上述した本発明の実施形態では、移動機１００は、検出見逃しの可能性を低減するためにＨＳ−ＳＣＣＨ検出のための相関閾値を改変している。当業者は、クリティカルＲＲＣメッセージを検出する可能性を改善するために、上述したものの代わりに、または加えて、他の手法を使用できることを認めるであろう。たとえば、制御部１２８は、クリティカルＲＲＣメッセージを検出する可能性を改善するために受信機構成を改変することができる。ＲＡＫＥ受信機またはＧＲＡＫＥ受信機は、下りリンク上で信号を受信するために使用されると、移動機１００は、クリティカルＲＲＣメッセージが予期される場合、追加のＲＡＫＥまたはＧＲＡＫＥフィンガをＨＳ−ＳＣＣＨに割り当てることができる。追加のＲＡＫＥフィンガを採用すると、ＨＳ−ＳＣＣＨを受信し、そして正しくデコーディングする可能性を改善し、そしてその結果、検出見逃しの可能性を低減するであろう。あるいは、移動機１００はＨＳ−ＳＣＣＨを検出するために、より高度な受信機構成、たとえばＧＲＡＫＥ構成を、クリティカルＲＲＣメッセージが予期される場合に使用し、そしてそうでなければ、ＨＳ−ＳＣＣＨを検出するために標準のＲＡＫＥ受信機を使用することができよう。受信機はまた、受信アンテナ１１２の数を変更することにより改変することができる。ＨＳ−ＳＣＣＨに対する上述した改変はまた、ＨＳ−ＰＤＳＣＨに対しても実施することができる。大きく見ると、ＨＳ−ＳＣＣＨまたはＨＳ−ＰＤＳＣＨの検出見逃しの可能性を低減する、受信機に対する任意の改変を採用することができる。そのような改変には、受信機構成の改変、および、ＨＳ−ＳＣＣＨまたはＨＳ−ＰＤＳＣＨに対する相関閾値のような受信パラメータの改変、またはそのいずれかを含むことができる。
【００３１】
本発明は、もちろん、本発明の本質的な特性から逸脱することなく、本明細書で詳細に説明されているもの以外の方法で実施することができる。本実施形態は、あらゆる面で実例であると見なされるべきで、限定であると見なされるべきではなく、添付の特許請求の範囲の意義および均等範囲内の全ての変更は、その点において受け入れられるように意図されている。
【図面の簡単な説明】
【００３２】
【図１】移動通信ネットワークの例を説明する図である。
【図２】移動機の例を説明する図である。
【図３】共用下りリンクのトラヒック・チャネル上でのスケジューリング済み送信を検出するための方法を説明する図である。
【図４】共用下りリンクのトラヒック・チャネル上でのスケジューリング済み送信を検出するために移動機により実装される手順の例を説明する図である。
【図１】
2009506691.tif 000002
【図２】
2009506691.tif 000003
【図３】
2009506691.tif 000004
【図４】
2009506691.tif 000005
【国際調査報告】
2009506691.tif 000006
2009506691.tif 000007